(57)【要約】      （修正有）【課題】空気清浄兼用冷風機を提供する。【解決手段】外部ハウジング１１０と内部ハウジングと覆い１３０からなる本体１００；空気誘導管；冷媒収容体；送風ファン；下敷き５００；及びモーターと第１磁力部材と第２磁力部材と回転軸が備えられた駆動手段を含む。送風ファンによって吸入された空気が冷気通路に沿って円滑に誘導され、冷媒温度と似通った温度を維持したまま外部へ吐出されるので、冷房效率が優秀であり、磁気浮上の原理によって送風ファンで動力が伝わってエネルギーが節減されるし、本体外部に備えられた下敷きに電源供給部を設けて下敷きを充電ステーションとして使うことで、本体を充電した後移動させて手軽に使うことができる效果がある。【選択図】図２
0003204559.tif 000002
【実用新案登録請求の範囲】
【請求項１】
上部のまわりに沿って吐出口が形成された外部ハウジングと、前記外部ハウジングの内側に設けられた内部ハウジングと、前記外部ハウジングの上側に繋がって内側への異物の流入を遮断するフィルターが設けられた覆いからなる本体；
前記覆いと繋がって前記内部ハウジングの内側に直立して設けられ、上側から外部空気が流入されて下側へ排出されるし、上部は幅が広くて下部に行くほど幅が狭くなるラッパ管状を持つ空気誘導管；
前記空気誘導管の内側に設けられ、内部に冷媒が収容されて流入された外部空気の熱交換が行われる冷媒収容体；
前記空気誘導管の下側に設けられて駆動手段と繋がるが、ハブの内側に設けられた吸入ファンによって外部空気が吸入されるし、ハブの外側に設けられた吐出ファンによって冷風が前記吐出口へ吐出されるようにする送風ファン；
前記外部ハウジングの下側に備えられて前記本体を支持し、電源供給部が内蔵された下敷き；及び
前記外部ハウジングの下部の所定の空間に設けられ、前記電源供給部から供給された電源によって作動し、固定軸の上側に第１磁力部材が備えられたモーターと、前記第１磁力部材と離隔して設けられ、前記第１磁力部材の磁力が作用して磁気浮上された状態で回転する第２磁力部材と、前記第２磁力部材の中心部に結合されて前記送風ファンと繋がった回転軸で構成された駆動手段；を含む空気清浄兼用冷風機。
【請求項２】
前記内部ハウジングは、その上側に狭い幅を持つネック部、下側のボディー部及び中間の連結部からなることを特徴とする請求項１に記載の空気清浄兼用冷風機。
【請求項３】
前記ボディー部は、底面の中心部が上側に突出された中心板と、底面の縁部が湾曲されて下側に突出された湾曲板を含み、
前記中心板と外部ハウジングの底面の間には前記モーターが設けられた設置空間が形成されるし、
前記中心板を間に置いて下側には前記モーターが設けられ、上側には前記第２磁力部材が相互離隔して設けられたことを特徴とする請求項２に記載の空気清浄兼用冷風機。
【請求項４】
前記連結部は、円筒状からなって前記ファンの上側に設けられるが、
内側に備えられたハブ管と、前記ハブ管の内側に放射状に繋いで設けられた複数個の吸入ガイドウィングと、前記ハブ管の外側に放射状に繋いで設けられた複数個の吐出ガイドウィングを備えたことを特徴とする請求項２に記載の空気清浄兼用冷風機。
【請求項５】
前記第１磁力部材及び第２磁力部材は、縁に沿って複数個の磁石が設けられたことを特徴とする請求項１に記載の空気清浄兼用冷風機。
【請求項６】
前記覆いは移動しやすいように上部に取っ手が設けられていることを特徴とする請求項１に記載の空気清浄兼用冷風機。
【請求項７】
前記フィルターは３重からなり、抗菌及び防塵機能をすることを特徴とする請求項１に記載の空気清浄兼用冷風機。
【請求項８】
前記下敷きは、中央部から上側へ突出形成され、内側が中空されて前記電源供給部が備えられた内側支持突部と、縁部で上側へと突出形成された外側支持突部と、前記内側支持突部と外側支持突部の間に形成されて熱交換によって凝縮して発生された水が収容される水受溝を含む請求項１に記載の空気清浄兼用冷風機。
【請求項９】
前記本体は、前記下敷きから脱着できるように繋がって、前記外部ハウジングの下部に充電池が内蔵されるため、前記電源供給部と繋がって電源を供給されて充電後に使用できることを特徴とする請求項１に記載の空気清浄兼用冷風機。
【請求項１０】
前記本体はコントローラが備えられ、
前記コントローラはリモコンの無線信号を受信したり、外部ディバイスとワイファイまたはブルートゥースで繋がって、前記外部ディバイスに設けられたアプリケーションの命令信号によって前記本体が駆動されるようにすることを特徴とする請求項１に記載の空気清浄兼用冷風機。
【考案の詳細な説明】
【技術分野】
【０００１】
本考案は冷風機に関するものであって、より詳細には、吸入された外気が冷媒と熱交換された後冷風で吐出される冷房機器として、使いやすくてエネルギーが節減され、冷却効率が優れるように考案された空気清浄兼用冷風機に関する。
【背景技術】
【０００２】
一般的に代表的冷房機器として扇風機とエアコンが挙げられる。但し、扇風機はまわりの空気を単に循環させて風を排出するものなので、暑い空気がそのまま循環するため冷却効果が落ちるし、エアコンは高価であって作動するために多くの電力が消費されるし、長期間使うと冷房病などの副作用が生じえる。
【０００３】
これにより、最近扇風機とエアコンの間の特徴を有する冷風機が開発されて販売されている。このような冷風機は、インペラなどの送風手段の回転により人工的な風を起こして使うものであって、送風手段によって流入される空気の温度を低下させる冷却手段がともに備えられ、扇風機より凉しくて、エアコンより安価で電力の消費が少ないし、設置及び維持補修が易い長所がある。
【０００４】
これと係る従来技術として、特許文献１には本体の下部に配置される下部水筒に使用者が水を注ぎ、ここに給水ポンプを置いて下部水筒の水を回転手段で回転される布に供給するように構成されている。また、給水ポンプによって引き上げられた冷水が給水ホースを通じて布を濡らし、本体の外部から流入される空気が布を通過しながら布の水を蒸発させたり、布に濡れた水と熱交換される。この時、水の蒸発熱または熱交換エネルギー程の熱を奪われ、温度が下がったまま送風手段によって送風され、本体の送風出口を介して排出されることで、本体の外部では温度が低下された空気が風を起こすように構成された冷風機が開示されている。
【０００５】
また、特許文献２にはハウジング内部に圧縮機、コンデンサー、毛細管及び蒸発機を含む冷却サイクルと、モーターによって回転される送風ファンを備え、送風ファンの回転時に蒸発機から発生する冷気が熱交換時に吐出されるように構成されるし、蒸発機は送風ファンの回転半径周囲を囲んで設けられるアイス冷風機であって、溝が形成された二枚の板が張り合わされることで冷媒通路が形成され、曲げ成形されてなる板形蒸発機、または一枚の板材が折られて張り合わされることで冷媒通路が形成されて曲げ成形されてなる板形蒸発機となり、冷媒通路の両側に冷却サイクルの冷媒管が連通して接合されることを特徴とするアイス冷風機が開示されている。
【０００６】
しかし、特許文献１は下部水筒が本体に固定され、下部水筒に冷水を供給するためには本体の一部を分解しなければならない不便さがあり、部品が固定式であるため、内部の異物の除去や衛生のための洗浄が難しいという問題がある。
【０００７】
また、特許文献２は冷却サイクルのために圧縮機、コンデンサー、蒸発機などが前方または後方に設けられ、構造が複雑になり、冷却サイクルの規模が大きくて熱が多く発生されるし、電力消耗も大きくて高価であり、機器の体積が増加して室内空間を相当占める問題がある。
【０００８】
また、図１は従来技術による冷風機の一実施例を図示した図面であるが、図１を参考すれば、冷風機の前面パネル１０の下部に吸入口２０が形成され、前面パネル１０の上部に吐出口３０が形成されるし、前面パネル１０の内側に送風ファン４０が設けられ、送風ファン４０の後方に氷パック５０が設けられている。
【０００９】
このような構造において、前面パネル１０と送風ファン４０の間の領域は、吸入された空気がそのまま停滞していたり、熱交換された冷気が円滑に吐出されず、停滞した状態の停滞口域が発生する。したがって、停滞口域にあった空気は熱交換された冷気と混ざった状態で吐出されるので、冷風性能が低下されることがある。
【先行技術文献】
【特許文献】
【００１０】
【特許文献１】韓国登録実用新案第２０−２００３−００１０３４８号公報（２００３．０７．２３．公開）
【特許文献２】韓国登録特許第１０−０８５９６０３号公報（２００８．０９．２２．公開）
【考案の概要】
【考案が解決しようとする課題】
【００１１】
本考案は前述した問題を解決するために案出されたもので、送風ファンによって吸入された空気が冷気通路に沿って円滑に誘導され、冷媒温度と似通った温度を維持したまま外部へ吐出されるので、冷房効率が優れており、磁気浮上の原理によって送風ファンに動力が伝わってエネルギーが節減され、本体外部に備えられた下敷きに電源供給部を設置し、下敷きを充電ステーションとして使うことで、本体を充電した後移動させて手軽に使うことができる空気清浄兼用冷風機を提供することにその目的がある。
【００１２】
また、冷媒として使われた水が本体の外部へと円滑に誘導されて下敷きに集水されるので誤作動が少ないし、本体が損傷しないように保護するので耐久性が増加し、機器の小型化によって室内空間を占めることが少なくて、部品の取り替えと掃除が易いし、取り扱い及び管理が容易であることにもその目的がある。
【００１３】
そして、機器自体には操作部がないので、リモコンの無線信号を受信したり、外部ディバイスとワイファイ（Ｗｉ−Ｆｉ）（登録商標）またはブルートゥース（登録商標）で繋がって、アプリケーションの命令信号によって機器が駆動されるので使いやすいことにもその目的がある。
【課題を解決するための手段】
【００１４】
前記課題を解決するために、本考案は上部のまわりに沿って吐出口が形成された外部ハウジングと、前記外部ハウジングの内側に設けられた内部ハウジングと、前記外部ハウジングの上側に繋がって内側への異物の流入を遮断するフィルターが設けられた覆いからなる本体；前記覆いと繋がって前記内部ハウジングの内側に直立して設けられ、上側から外部空気が流入されて下側へ排出されるし、上部は幅が広くて下部に行くほど幅が狭くなるラッパ管形状を持つ空気誘導管；前記空気誘導管の内側に設けられて、内部に冷媒が収容されて流入された外部空気の熱交換が行われる冷媒収容体；前記空気誘導管の下側に設けられて駆動手段と繋がるが、ハブの内側に設けられた吸入ファンによって外部空気が吸入されるし、ハブの外側に設けられた吐出ファンによって冷風が前記吐出口へ吐出されるようにする送風ファン；前記外部ハウジングの下側に備えられて前記本体を支持し、電源供給部が内蔵された下敷き；及び前記外部ハウジングの下部の所定の空間に設けられ、前記電源供給部から供給された電源によって作動し、固定軸の上側に第１磁力部材が備えられたモーターと、前記第１磁力部材と離隔して設けられ、前記第１磁力部材の磁力が作用して磁気浮上された状態で回転する第２磁力部材と、前記第２磁力部材の中心部に結合されて前記送風ファンと繋がった回転軸で構成された駆動手段；を含む空気清浄兼用冷風機を提供する。
【００１５】
さらに、前記内部ハウジングは、上側に狭い幅を持つネック部、下側のボディー部及び中間の連結部からなることにもその特徴がある。
【００１６】
この時、前記ボディー部は、底面の中心部が上側へ突出された中心板と、底面の縁部が湾曲されて下側へ突出された湾曲板を含み、前記中心板と外部ハウジングの底面の間には前記モーターが設けられた設置空間が形成されるし、前記中心板を間に置いて下側には前記モーターが設けられ、上側には前記第２磁力部材が相互離隔して設けられたことにもその特徴がある。
【００１７】
さらに、前記連結部は、円筒状からなって前記ファンの上側に設けられるが、内側に備えられたハブ管と、前記ハブ管の内側に放射状で連結して設けられた複数個の吸入ガイドウィングと、前記ハブ管の外側に放射状で繋がって設けられた複数個の吐出ガイドウィングを備えたことにもその特徴がある。
【００１８】
また、前記第１磁力部材及び第２磁力部材は、縁に沿って複数個の磁石が設けられたことにもその特徴がある。
【００１９】
同時に、前記覆いは移動しやすいように上部に取っ手が設けられていることにもその特徴がある。
【００２０】
これと共に、前記フィルターは３重からなり、抗菌及び防塵機能をすることにもその特徴がある。
【００２１】
そして、前記下敷きは、中央部で上側へ突出形成され、内側が中空されて前記電源供給部が備えられた内側支持突部と、縁部で上側へと突出形成された外側支持突部と、前記内側支持突部と外側支持突部の間に形成されて熱交換によって凝縮して発生された水が収容される水受溝を含むことにもその特徴がある。
【００２２】
さらに、前記本体は、前記下敷きから脱着できるように繋がって、前記外部ハウジングの下部に充電池が内蔵されたため、前記電源供給部と繋がって電源を供給され、充電した後使用できることにもその特徴がある。
【００２３】
同時に、前記本体はコントローラが備えられ、前記コントローラはリモコンの無線信号を受信したり、外部ディバイスとワイファイまたはブルートゥースで繋がって、前記外部ディバイスに設けられたアプリケーションの命令信号によって前記本体が駆動されるようにすることにもその特徴がある。
【考案の効果】
【００２４】
本考案によると、送風ファンによって吸入された空気が冷気通路に沿って円滑に誘導され、冷媒温度と似通った温度を維持したまま外部へ吐出されるので冷房効率が優れており、磁気浮上の原理を通じて送風ファンに動力が伝わってエネルギーが節減されるし、本体の外部に備えられた下敷きに電源供給部を設けて下敷きを充電ステーションとして使うことで、本体を充電した後移動させて便利に使うことができる効果がある。
【００２５】
また、冷媒として使われた水が本体の外部へ円滑に誘導されて下敷きに集水されるので誤作動が少ないし、本体が損傷されないように保護することで耐久性が増加し、機器の小型化で室内空間を占めることが少なくなり、部品の取り替えと掃除が易くて、取り扱い及び管理が容易な効果もある。
【００２６】
そして、機器自体には操作部がないため、リモコンの無線信号を受信したり、外部ディバイスとワイファイまたはブルートゥースで繋がって、アプリケーションの命令信号によって機器が駆動されるので、使いやすいという効果もある。
【図面の簡単な説明】
【００２７】
【図１】従来技術による冷風機の一実施例を図示した図面である。
【図２】本考案の一実施例による冷風機の外部斜視図である。
【図３】本考案の一実施例による冷風機の分離斜視図である。
【図４】本考案の一実施例による冷風機の正断面図である。
【図５】本考案の一実施例による送風ファンと連結部を示した図面である。
【図６】本考案の一実施例による駆動手段を示した図面である。
【図７】本考案のモーターの一例を詳細に図示した図面である。
【図８】本考案の一実施例による冷風機における空気の流れを示した図面である。
【考案を実施するための形態】
【００２８】
以下では、図面を参照して本考案による空気清浄兼用冷却機を実施するための具体的な内容について、実施例を中心にして詳細に説明する。
【００２９】
図２ないし図４を参考すれば、本考案による空気清浄兼用冷却機１は、吸入された外気が冷媒と熱交換された後冷風で吐出される冷房機器であって、使いやすくてエネルギーが節減されるし、冷却効率が優れるように考案されたものであり、本体１００、空気誘導管２００、冷媒収容体３００、送風ファン４００、下敷き５００、及び駆動手段６００を含んでなる。
【００３０】
前記本体１００は外部ハウジング１１０、内部ハウジング１２０、覆い１３０を含み、二重ハウジングの構造からなっており、暑い室内空気を吸入して冷媒との熱交換によって低温化させ、再び室内に還元されるようにする強制対流の原理が適用される。
【００３１】
前記外部ハウジング１１０は円筒形状を持つが、上端部のまわりに沿って形成された吐出口１１１を介した円滑な冷風の吐出のために、上側へ行くほど直径がだんだん増加するようになる。
【００３２】
また、前記外部ハウジング１１０は、上側は開放されて外気が流入される吸入口として使われ、側面と下部は閉鎖されるようになるし、上端部のまわりに沿って冷風が外部へ吐出される吐出口１１１が形成されるので、従来のように冷風機を回転せずともいろいろな方向へ冷風が送風できるようになる。
【００３３】
前記内部ハウジング１２０は前記外部ハウジング１１０の内側に繋がって設けられ、内部に空間が備えられた容器やボトル状からなり、下側のボディー部１２１、上側のネック部１２３、中間の連結部１２２からなる。
【００３４】
前記ボディー部１２１は前記外部ハウジング１１０の内側下部に備えられ、送風ファン４００、第２磁力部材６３０などを内部に収容し、モーター６１０はその外部に設けられる。
【００３５】
すなわち、前記ボディー部１２１は底面の中心部が上側に隆起して突出されるように形成された中心板１２１ａと、底面の縁部が湾曲されたまま下側へ降りるように突出された湾曲板１２１ｂを含んでなり、上側に隆起された内部ハウジング１２０の中心板１２１ａと外部ハウジング１１０の底面の間には設置空間１１２が形成され、前記設置空間１２２にモーター６１０が設けられる。
【００３６】
同時に、前記中心板１２１ａを間に置いたまま前記駆動手段６００の第１磁力部材６２０と第２磁力部材６３０が相互離隔して設けられるが、前記中心板１２１ａの下側には第１磁力部材６２０が前記モーター６１０の固定軸と繋がって設けられ、前記中心板１２１ａの上側には第２磁力部材６３０が回転軸６４０を介して送風ファン４００と繋がって設けられる。
【００３７】
図５を参考すれば、前記連結部１２２は、上・下側が開放された円筒状からなって前記送風ファン４００の上側に配置されるが、内側にハブ管１２２ａが備えられるし、前記ハブ管１２２ａの内側に放射状で繋がって設けられ、外気が吸入ファン４２０に迅速且つ円滑に吸入されるようにガイドする複数個の吸入ガイドウィング１２２ｂが相互離隔して配置され、前記ハブ管１２２ａの外側に放射状に繋がって設けられた複数個の吐出ガイドウィング１２２ｃが相互離隔して配置される。
【００３８】
この時、図８を参考すれば、吸入ファン４２０によって吸入力を提供された外気Ｗが、ラッパ管状の空気誘導管２００と冷媒収容体３００を経てハニカム構造を持つハニカム部２３０を通過した後、前記吸入ガイドウィング１２２ｂの間の空間を介して迅速且つタービュレンスに吸入され、これは幅が狭い所へ移動する時発生する気圧差を利用して多量の空気を素早く吸入するジェットエンジンの原理と同様である。
【００３９】
同時に、吐出ファン４３０によって吐出力を提供された冷気がボディー部１２１の湾曲板１２１ｂによってＵターンして前記吐出ガイドウィング１２２ｃの間の空間を通過しながら衝突による激しい渦流が形成され、このような渦流の流れを有する冷気Ｃは内部ハウジング１２０のネック部１２３に形成された冷気通路Ｐを経て吐出口１１１を介して冷風を四方へ吐出させるので、冷房効果が極大化される。
【００４０】
前記ネック部１２３は下側のボディー部１２１と連結部１２２に比べて幅が狭く形成されて冷気Ｃが早い速度で円滑に吐出されるようにする。
【００４１】
これにより、前記送風ファン４００によって吸入された外気が内部ハウジング１２０内の吐出ガイドウィング１２２ｃと冷気通路Ｐに沿って円滑に吐出口１１１へ誘導され、冷気が冷媒温度と似通った温度を維持したまま外部へ吐出されるので冷房効率が優秀になる。
【００４２】
前記覆い１３０は前記外部ハウジング１１０の上側に繋がって前記外部ハウジング１１０をカバーするが、リング状からなり、内側に異物の流入を遮断するフィルター１３１が設けられ、他の所に移動しやすいように上部に取っ手１３２が設けられる。
【００４３】
ここで、前記フィルター１３１は３重からなり、抗菌及び防塵機能があるフィルターを設置することが望ましくて、フィルターによって異物が濾過された空気を再び外部へ吐出するので空気清浄機能を具備する。
【００４４】
前記空気誘導管２００は前記覆い１３０と繋がって前記内部ハウジング１２０の内側に直立して設けられ、熱伝導率が優れた金属、例えばアルミニウムからなるものが望ましく、上部は幅が広くて下側に行くほど幅が狭くなるラッパ管状を持つ。そうすることで、前記空気誘導管２００の上・下端部にはそれぞれ外気が流入される幅の広い流入口２１０と幅の狭い流出口２２０が形成され、下側に行くほど流速が早くなり、円滑な外気の吸入が可能となり、前記空気誘導管２００の流出口２２０側にはハニカム構造を持つハニカム部２３０が設けられる。
【００４５】
前記冷媒収容体３００は前記空気誘導管２００の内側に設けられ、内部に冷媒が収容されて流入された外部空気の熱交換が行われるし、熱伝導率が優れた金属、例えばアルミニウムからなるものが望ましい。同時に、前記冷媒収容体３００は前記ハニカム部２３０に支持及び接触されて直立して配置される。
【００４６】
これにより、前記空気誘導管２００の流入口２１０に流入された外気は、冷たい状態の前記冷媒収容体３００と接触しつつ低温で熱交換が行われるが、下側の流出口２２０へ排出されながらハニカム構造を持つハニカム部２３０によって熱交換される面積が増加し、さらに低温化されることがある。
【００４７】
前記送風ファン４００は前記空気誘導管２００の下側に設けられて駆動手段６００と繋がるが、ハブ４１０の内側に設けられた吸入ファン４２０によって外気が吸入され、ハブ４１０の外側に設けられた吐出ファン４３０によって冷気が前記吐出口１１１を介して冷風で吐出されるようにする。これにより、図５のように、一つの送風ファン４００を回転させて内側の吸入ファン４２０では外気を吸入し、外側の吐出ファン４３０では冷気を押し出す二つの機能を同時に行うことができる。
【００４８】
前記下敷き５００は前記外部ハウジング１１０の下側に備えられて前記本体１００を支持するが、中央部で上側へ突出形成され、内側が中空されて電源供給部５１２が備えられた内側支持突部５１０と、縁部で上側へ突出形成された外側支持突部５２０と、前記内側支持突部５１０と外側支持突部５２０の間に形成され、熱交換によって凝縮して発生された水が収容される水受溝５３０を含んでなる。
【００４９】
このために、前記外部ハウジング１１０の底板と内部ハウジング１２０の湾曲板１２１ｂには、前記冷媒収容体３００から落ちる水を排水するための複数個の排水穴ｈが貫通して形成される。
【００５０】
また、前記外部ハウジング１１０は前記下敷き５００と脱着できるように繋がって前記取っ手１３２を掴んで前記本体１００を持ち上げた後、前記下敷き５００の水受溝５３０に集水された水を容易に空けることができる。
【００５１】
これにより、冷媒として使われた水が前記本体１００の外部へ迅速且つ円滑に誘導されて前記下敷き５００に集水、排水されるので、本体の誤作動が少なくて、本体が損傷されないように保護することができ、耐久性が増加するようになる。
【００５２】
同時に、前記外部ハウジング１１０下部の設置空間１１２には充電池（未図示）が内蔵されていて、前記充電池は前記電源供給部５１２と繋がって電源を供給されて充電した後使うことができるし、これにより本体１００の外部に備えられた下敷き５００に電源供給部５１２を設け、下敷き５００を充電ステーションとして使うことで、本体１００を充電した後移動して便利に使うことができる。
【００５３】
図６を参考すれば、前記駆動手段６００は前記外部ハウジング１１０下部の設置空間１１２に設けられ、前記電源供給部５１２または充電池から電源を供給されて作動するモーター６１０を具備する。前記モーター６１０は中心部の固定軸と前記固定軸の上側に備えられた第１磁力部材６２０を含む。この時、前記モーター６１０はＢＬＤＣモーターを使うことができる。また、第２磁力部材６３０が内部ハウジング１２０のボディー部１２１によって前記第１磁力部材６２０と離隔して設けられ、第１磁力部材６２０の引力が作用してともに回転されるし、前記第２磁力部材６３０の中央部に回転軸６４０が結合されて前記送風ファン４００と繋がる。この時、前記第１磁力部材６２０の上部及び第２磁力部材６３０の下部には、縁に沿って複数個の磁石Ｍが設けられる。
【００５４】
例えば、図７を参考すれば、前記第１磁力部材６２０は内側の固定体６２１と外側の回転体６２２が備えられ、前記固定体６２１は固定軸に固定して結合されるし、固定軸の内部には電線が通過される。前記固定体６２１は外周縁に沿って複数個のスロット６２１ａが形成され、前記スロット６２１ａの内部にはそれぞれコイル６２１ｂが装着される。前記回転体６２２には複数個の磁石Ｍが装着されるし、充電池から供給された電源が固定軸の内部に配線され、取り出された電線を通じてコイル６２１ｂに供給され、自己誘導によって回転体６２２が回転される。同時に、前記モーター６１０は磁石Ｍの位置を知らせるホールセンサー（未図示）が備えられる。
【００５５】
このように、前記モーター６１０に電源が供給されて巻かれているコイル６２１ｂに電流が流れるようになれば、電流が流れるコイルから磁場関係によって磁石Ｍが装着された第１磁力部材６２０を回転させるが、より詳細に説明すると、ホールセンサー（未図示）の信号によってそれぞれ異なる方向に電圧を印加するようになり、このような電流を流すと磁石Ｍが装着された第１磁力部材６２０が順に電磁石に押されたり引かれて第１磁力部材６２０が回転し、内部ハウジング１２０のボディー部１２１によって隔離されて配置された後述の第２磁力部材６３０がその磁力によって回転するようになる。
【００５６】
このように、磁気浮上の原理によって送風ファン４００で動力が伝わることでエネルギーが節減されるし、部品の取り替えと掃除が容易であり、低騷音であって、取り扱い及び管理が容易である。
【００５７】
前記本体１００はコントローラ（未図示）が備えられ、前記コントローラはリモコンの無線信号を受信したり、図８のようにスマートフォン、タブレットＰＣなどの外部ディバイスＤとワイファイまたはブルートゥースで繋がって、前記外部ディバイスＤに設けられたアプリケーションの命令信号によって前記本体１００が駆動される。
【００５８】
また、前記外部ディバイスＤは前記本体１００のコントローラを通じて前記本体１００の使用情報、例えばモーターの速度、冷風温度などを受信して画面で容易に確認することができる。
【００５９】
このように、本考案の冷風機１は機器自体には操作部がないため、リモコンの無線信号を受信したり、外部ディバイスとワイファイまたはブルートゥースで繋がって、アプリケーションの命令信号によって機器が駆動されるし、使用情報を確認することができるので便利に使うことができる。
【００６０】
結局、本考案による空気清浄兼用冷風機１は送風ファンによって吸入された空気が冷気通路に沿って円滑に誘導され、冷媒温度と似通った温度を維持したまま外部へ吐出されるので冷房効率が優秀であり、磁気浮上の原理によって送風ファンで動力が伝わってエネルギーが節減されるし、本体外部に備えられた下敷きに電源供給部を設けて下敷きを充電ステーションとして使うことで、本体を充電した後移動させて手軽に使うことができる。また、冷媒として使われた水が本体の外部へ円滑に誘導されて下敷きに集水されるので、誤作動が少なくて、本体が損傷されないように保護して耐久性が増加し、機器の小型化で室内空間を占めることが少なく、部品の取り替えと掃除が易くて、取り扱い及び管理が容易であると同時に、機器自体には操作部がないため、リモコンの無線信号を受信したり、外部ディバイスとワイファイまたはブルートゥースで繋がってアプリケーションの命令信号によって機器が駆動されるので使いやすい。
【００６１】
本考案において、前記実施形態は一つの例示であって、本考案はこれに限定されない。本考案の実用新案登録請求の範囲に記載された技術的思想と実質的に同一の構成を持ち、同一の作用効果を成すことは、如何なるものであっても本考案の技術的範囲に含まれる。
【符号の説明】
【００６２】
＊  従来技術
１０              前面パネル
２０              吸入口
３０              吐出口
４０              送風ファン
５０              氷パック
＊  本考案
１                冷風機
１００            本体
１１０            外部ハウジング
１１１            吐出口
１１２            設置空間
１２０            内部ハウジング
１２１            ボディー部
１２１ａ          中心板
１２１ｂ          湾曲板
１２２            連結部
１２２ａ          ハブ管
１２２ｂ          吸入ガイドウィング
１２２ｃ          吐出ガイドウィング
１２３            ネック部
１３０            覆い
１３１            フィルター
１３２            取っ手
２００            空気誘導管
２１０            流入口
２２０            流出口
２３０            ハニカム部
３００            冷媒収容体
４００            送風ファン
４１０            ハブ
４２０            吸入ファン
４３０            吐出ファン
５００            下敷き
５１０            内側支持突部
５１１            中空
５１２            電源供給部
５２０            外側支持突部
５３０            水受溝
６００            駆動手段
６１０            モーター
６２０            第１磁力部材
６２１            固定体
６２１ａ          スロット
６２１ｂ          コイル
６２２            回転体
６３０            第２磁力部材
６４０            回転軸
Ｃ                冷気
Ｄ                外部機器
Ｍ                磁石
Ｐ                冷気通路
Ｗ                外気
【図１】
0003204559.tif 000003
【図２】
0003204559.tif 000004
【図３】
0003204559.tif 000005
【図４】
0003204559.tif 000006
【図５】
0003204559.tif 000007
【図６】
0003204559.tif 000008
【図７】
0003204559.tif 000009
【図８】
0003204559.tif 000010